(57)【特許請求の範囲】
【請求項１】
中央部の上方にはＵ字型の上切欠溝と４つのビス孔が穿設されている上片と、中央部の下方にはＵ字型の下切欠溝と４つのビス孔が穿設されている下片を備えるとともに中央部に縦長の貫通孔を穿設されているＨ字状の基板と、前記基板の左端より背面方向に垂直に連設し２つの溝を備えた左垂下片と、前記基板の右端より背面方向に垂直に連設し２つの溝を備えた右垂下片と、前記左垂下片より外方に前記基板と平行に連設された２つのビス孔を持つ左片と、前記右垂下片より外方に前記基板と平行に連設された２つのビス孔をもつ右辺とからなり、貫通孔の延長線上の基板背面にある上Ｖ字型溝と下Ｖ字型溝を形成したことを特徴とする下地板取付金具。
【請求項２】
２つのビス孔と右上角に切欠部を持つ上片と２つのビス孔と右下角に切欠部を持つ下片を備えた右側面中央に溝と右端部の下面に傾斜部を持つ略コの字型の基板と、前記溝と反対側より下方垂直に連設され、２つの溝を持つ左垂下片と、前記左垂下片より外方垂直且つ前記基板と平行に連設され、２つのビス孔を持つ左片とからなることを特徴とするパネル取付具。
【請求項３】
２つのビス孔と左上角に切欠部を持つ上片と２つのビス孔と左下角に切欠部を持つ下片を備えた左側面中央に溝と左端部の下面に傾斜部を持つ略コ字状型の基板と、前記溝と反対側より下方垂直に連設し２つの溝を持つ右垂下片と、前記右垂下片より外方に前記基板と平行に連設し２つのビス孔を持つ右片とからなることを特徴とするパネル取付具。
【請求項４】
２つの溝の一直線上内側に２つのビス孔を持つ左垂下片と、２つの溝の一直線上内側に２つのビス孔を持つ右垂下片を持つ事を特徴とする請求項１に記載の下地板取付金具。
【発明の詳細な説明】
【０００１】
【発明が属する技術分野】
本発明は、下地板を軽天に取り付けるために使用する下地板取付金具の改良に関する発明である。
【０００２】
【従来の技術】
従来は、軽天にあて木を下地板そのものの厚みを軽天面より差し引いた寸法でビス止めし、その上に下地板を取り付けていた。
【０００３】
また、従来から軽天に下地板を取り付けるために用いられる金具としては特許公開番号特開平１０−５４１３７号の公開特許公報に記載されている「コンパネガイド及びコンクリートパネルの組み立て方法」の発明のように、下地板そのものに孔を設け、前記孔にロッドを挿入する等して組み立てるコンパネガイド及び組み立て方法等、下地板自体に孔を設けて取り付ける金具である。
【０００４】
【発明が解決しようとする課題】
しかしながら、従来のような軽天にあて木を下地板そのものの厚みを軽天面より差し引いた寸法でビス止めし、その上に下地板を取り付けていた方法では、軽天の上に石膏ボードが張られるため、下地板と軽天は平らに仕上げなければならず、その為に、あて木を止める位置が正確でないと石膏ボードの表面に凹凸が出来てしまうので熟練した技術を必要とするとの問題点がある。
【００００５】
そして、特許公開番号特開平１０−５４１３７号の公開特許公報に記載されている方法で、従来の金具でコンクリートパネルを取り付けるためには、コンクリートパネルを成型する時点で所望のコンクリート体の仮枠に孔を設けて成型しなくてはならないとの問題がある。
【０００６】
また、コンクリートパネルに孔を設けて成型しない場合には、無理にコンクリートパネルにビスを打ち込む等により取り付けなくてはならないため、大きな力が必要になり手間がかかる上にパネル損傷の恐れもある。
【０００７】
そこで、本発明は、軽天に下地板を取り付ける際に、あて木を使わずに下地板を取り付けることができると共に、軽天面と平らに簡単にかつ短時間で取り付けることが可能な下地板取付金具を提供することを目的とするものである。
【０００８】
【課題を解決するための手段】
本発明である下地板取付金具は、上記の課題を解決するために、中央部の上方にはＵ字型の上切欠溝と４つのビス孔が穿設されている上片と、中央部の下方にはＵ字型の下切欠溝と４つのビス孔が穿設されている下片を備えるとともに中央部に縦長の貫通孔を穿設されているＨ字状の基板と、前記基板の左端より背面方向に垂直に連設し２つの溝を備えた左垂下片と、前記基板の右端より背面方向に垂直に連設し２つの溝を備えた右垂下片と、前記左垂下片より外方に前記基板と平行に連設された２つのビス孔を持つ左片と、前記右垂下片より外方に前記基板と平行に連設された２つのビス孔をもつ右辺とからなり、貫通孔の延長線上の基板背面にある上Ｖ字型溝と下Ｖ字型溝を形成したことを特徴とする下地板取付金具の構成とした。
【０００９】
【実施例】
以下に、添付図面に基づき、本発明である下地板取付金具について詳細に説明する。図１から図５は本発明である下地板取付金具の第１実施例を示した図、図６は本発明である下地板取付金具の第２実施例を示した図、図７は本発明である下地板取付金具の第３実施例を示した図、図８は本発明である各実施例に示した下地板取付金具の使用状態を示した図である。
【００１０】
図１は本発明である下地板取付金具の正面図、図２は本発明である下地板取付金具の右側面図、図３は本発明である下地板取付金具の底面図、図４は図２中に示したＡ−Ａ線に沿った断面図、図５は本発明である下地板取付金具の斜視図である。
【００１１】
図１から図５に示すように、本発明である下地板取付金具１は、Ｈ字型の基板２と左片４と左垂下片５と右垂下片６と右片７から構成されている。基板２は、中央部２ａの上方には基板２の中央部２ａの幅よりも左右方向に大きく突出した上片２ｄが設けられ、基板２の中央部２ａの下方には、上片２ｄと同様に基板２の中央部２ａの幅よりも左右方向に大きく突出した下片２ｇが設けられている。
【００１２】
上片２ｄは、右端部２ｅ及び左端部２ｋが左右に大きく突出した略長方形に形成されている。上端の中心の位置には、上頂部２ｃを頂点とした略Ｕ字型の上切欠溝２ｂが設けられている。更に、上片２ｄにはビス孔３ａ、３ａ、３ｂ、３ｂが等間隔にそれぞれ２個所ずつ穿設されている。
【００１３】
また、下片２ｇは、上片２ｄと上下対称に形成されている。即ち、下片２ｇは、右端部２ｆ及び左端部２ｊが左右に大きく突出した略長方形に形成され、下端の中心の位置には、下頂部２ｉを頂点とした略Ｕ字型の切欠溝２ｈが設けてあり、下片２ｇにはビス孔３ａ、３ｂがそれぞれ２個所ずつにしかも等間隔に穿設されている。
【００１４】
上片２ｄと下片２ｇが中央部２ａの下方及び上方に連設され、Ｈ字型の基板２を形成している。基板２の中央部２ａの中心には、上片２ｄ及び下片２ｇに縦長の貫通孔３が穿設されている。貫通孔３の上端及び下端はＶ字型に形成されている。
【００１５】
前記貫通孔３と、上片２ｄの上端の中央に設けられたＵ字型の切欠溝２ｂ及び下片２ｇの下端の中央に設けられたＵ字型の切欠溝２ｈは、縦方向に一直線上になるように設けられている。
【００１６】
また、図１及び図３に示すように、貫通孔３が穿設されている個所で、基板２の背面には上Ｖ字型溝２ｌ及び下Ｖ字型溝２ｍが形成されている。そして、前記貫通孔３と切欠溝２ｂ、２ｈは、Ｈ字型の基板２の背面の中心の縦方向に設けられた上Ｖ字型溝２ｌ及び下Ｖ字型溝２ｍによって一直線上で繋がっており、下地板取付金具１は貫通孔３及び上下Ｖ字型溝２ｌ、２ｍから真っ二つに、左部分と右部分にしかも左右対称に分離することができる。
【００１７】
基板２の中央部２ａの左端には、左垂下片５が背面方向に突出して連設されている。左垂下片５の左端には、ビス孔４ａの設けられた左片４が左方向（外側）に突出して連設されている。
【００１８】
また、基板２の中央部２ａの右端には、右垂下片６が背面方向に突出して連設されている。さらに右垂下片６の右端には、ビス孔７ａの設けられた右片７が右方向（外側）に突出して連設されている。
【００１９】
図１に示すように、本発明である下地板取付金具１は、縦一直線上に設けられた縦方向に長孔である貫通孔３及びＵ字型の上下切欠溝２ｂ、２ｈを中心として、左右対称の形状に形成されている。
【００２０】
図２及び図３に示すように、本発明である下地板取付金具１は、基板２の中央部２ａの左端からは背面方向に垂直に突出するように左垂下片５が連設され、左垂下片５の左端からは左方外側に突出するように左片４が連設されている。
【００２１】
同様に、中央部２ａの右端からは背面方向に垂直に突出するように右垂下片６が連設され、右垂下片６の右端からは右方外側に突出するように水平に右片７が連設されている。
【００２２】
基板２の中央部２ａに連設された左右垂下片５、６及び前記左右垂下片５、６に連設された左右片４、７は、それぞれ直角に形成されるように連設されている。即ち、左垂下片５及び右垂下片６は基板２に対して垂直に連設され、左片４及び右片７は、左右垂下片５、６に対して垂直且つ基板２と平行に形成されているものである。
【００２３】
図４は、図２中に示したＡ−Ａ線に沿った拡大断面図である。図４に示すように、基板２の中央部２ａの左右に連設された左右垂下片５、６には２個所に内方に突出する半球体状の溝５ａ、６ａが設けられている。
【００２４】
図４に示すように、右垂下片６に設けられている半球体状の溝６ａは、内方に向かってお椀型に突出した溝である。また、左垂下片５に設けられている半球体状の溝５ａも同様に内方に向かってお椀型に突出した溝である。
【００２５】
図６は本発明である下地板取付金具の第２実施例の斜視図、図７は本発明である下地板取付金具の第３実施例の斜視図である。図１から図５に示した下地板取付金具１の第１実施例は、一直線上に設けられた貫通孔３及び切欠溝２ｂ、２ｈを中心に上下Ｖ字型溝２ｌ、２ｍに沿って半分に折り切り離して使用することが可能である。
【００２６】
即ち、下地板取付金具１を半分に折った左側を図６に示した第２実施例として使用し、半分に折った右側を図７に示した本発明の第３実施例として使用することができるのである。以下、本発明である下地板取付金具１の第１実施例及び第２実施例について説明する。
【００２７】
図６は、本発明である下地板取付金具の第２実施例である。下地板取付金具１１は、略コ字状の基板１２、左垂下片１４及び左片１５から構成されている。
【００２８】
下地板取付金具１１の基板１２は、中央部１２ａの上部に上片１２ｂが設けられ、中央部１２ａの下部には下片１２ｉが設けられている。上片１２ｂは左端部１２ｋが中央部１２ａの横幅よりも大きく左側に突出し、下片１２ｉは左端部１２ｊが中央部１２ａの横幅よりも大きく左側に突出しているため、基板１２は略コ字状を形成している。
【００２９】
コ字状型の基板１２の右端部１２ｅの上部には、右上頂部１２ｄを頂点としたＬ字型の切欠部１２ｃが設けられ、右端部１２ｆは下部に右下頂部１２ｇを頂点としたＬ字型の切欠部１２ｈが設けられ、中央には縦長の溝１３ｂが設けられている。
【００３０】
また、前記右端部１２ｅ、１２ｆの背面側半分は、前記下地板取付金具１で設けられた上Ｖ字型溝２ｌ及び下Ｖ字型溝２ｍの半面の傾斜が残っており、上傾斜部１２ｌ及び下傾斜部１２ｍとなっている。また、基板１２の上片１２ｂにビス孔１３、１３ａが設けられ、下片１２ｉにもビス孔１３、１３ａが設けられている。
【００３１】
更に、図６には表れていないが、基板１２の中央部１２ａの左端に連設された左垂下片１４には２個所の溝が設けられている。前記溝は内側に向かってお椀型に突出した円形の溝である。
【００３２】
同様に図６には表れていないが、左垂下片１４に連設された左片１５は、左垂下片１４の左端から外側方向に向かって突出した略長方形状の片であり、２個所にビス孔１５が設けられている。
【００３３】
図７は、本発明である下地板取付金具の第３実施例である。本例の下地板取付金具１１ａは、図６に示した下地板取付金具１１と左右対称の形状である。即ち、下地板取付金具１１ａは、略コ字状の基板１６、右垂下片１７及び右片１８から構成されている。
【００３４】
下地板取付金具１１ａの基板１６は、中央部１６ａの上部に右端部１６ｅが右方向に突出した上片１６ｂが設けられ、中央部１６ａの下部に右端部１６ｆが右方向に突出した下片１６ｇが設けられているため、略コ字状を形成している。
【００３５】
基板１６の左端部１６ｋは上部に左上頂部１６ｄを頂点とした切欠部１６ｃが設けられ、左端部１６ｊは下部に左下頂部１６ｉを頂点とした切欠部１６ｈが設けられ、中央には縦長の溝１３ｃが設けられている。
【００３６】
また、前記左端部１６ｋ、１６ｊの背面側半分は、前記下地板取付金具１で設けられた上Ｖ字型溝２ｌ及び下Ｖ字型溝２ｍの半面の傾斜が残っており、上傾斜部１６ｌ及び下傾斜部１６ｍとなっている。基板１６の上片１６ｂにビス孔１３ｄ、１３ｅが設けられ、下片１６ｇにもビス孔１３ｄ、１３ｅが設けられている。
【００３７】
更に、基板１６の中央部１６ａの右端に連設された右垂下片１７には、２個所の内側に向かってお椀型に突出した円形の溝１７ａが設けられ、右垂下片１７には、２個所のビス孔１８ａが設けられた略長方形の右片１８が連設されている。
【００３８】
図８は、本発明である下地板取付金具の使用状態を示す図である。本発明の第１実施例である下地板取付金具１、第２実施例である下地板取付金具１１、第３実施例である下地板取付金具１１ａを軽天８に取り付け使用する。
【００３９】
下地板取付金具１を軽天８に取り付ける取り付け方は、下地板取付金具１の背面に左垂下片５及び右垂下片６により形成された溝に軽天８を挟設し、基板２に設けた４個所のビス孔３ａにビス１０を打ち込むことで、軽天８に下地板取付金具１を固定する。
【００４０】
下地板取付金具１の左右垂下片５、６には、内側にお椀型に突出した溝５ａ、６ａが設けられているため、前記溝５ａ、６ａが下地板取付金具１の内側に挟設した軽天８を押さえ込む役目を果たす。
【００４１】
また、図８の軽天８ａのように、左端となる軽天８ａの場合には、本発明の第３実施例である下地板取付金具１１ａを用いる。前記下地板取付金具１１ａの取り付け方は、下地板取付金具１１ａの右垂下片１７を軽天８ａの右側面にしっかりと当て、基板１６に設けられたビス孔１３ｄ、１３ｄにビス１０を打ち込み固定する。
【００４２】
それと対称に図８の軽天８ｂのように、右端となる軽天８ｂの場合には、本発明の第２実施例である下地板取付金具１１を用いる。下地板取付金具１１の取り付け方は、下地板取付金具１１の左垂下片１４を軽天８ｂの左側面にしっかりと当て、基板１２に設けられたビス孔１３にビス１０を打ち込み固定する。
【００４３】
このようにして、下地板取付金具１、下地板取付金具１１及び下地板取付金具１１ａを軽天８、８ａ、８ｂに取り付け、軽天８と軽天８ａ、軽天８と軽天８ｂにそれぞれ合う大きさにカットした下地板９を下地板取付金具１、１１、１１ａに挟設する。
【００４４】
下地板９は、下地板取付金具１の基板２と左片４及び右片７が左右垂下片５、６により連設されたことにより形成された空間に下地板９を差し込み、下地板取付金具１の基板２に設けられたビス孔３ｂ、下地板取付金具１１の基板１２に設けられたビス孔１３ａ及び下地板取付金具１１ａの基板１６に設けられたビス孔１３ｅにビス１０を打ち込み固定する。
【００４５】
以上のようにして、軽天８、８ａ、８ｂに本発明である下地板取付金具１、１１、１１ａを取り付け、前記下地板取付金具１、１１、１１ａに下地板９を挟設することで、軽天８、８ａ、８ｂへの下地板９の取付が完了する。
【００４６】
図９は本発明である下地板取付金具の第４実施例の右側面図、図１０は第４実施例の左側面図である。取付金具１ａは、左右垂下片５、６を除いて、前記取付金具１と同様の形状をしている。
【００４７】
図９、図１０に示すように、Ｈ字型の基板２より背面方向に垂直に連設された右垂下片６の溝６ａ、６ａの一直線上で内方縦方向の位置にビス孔６ｂ、６ｂが設けてある。
【００４８】
同様に基板２より背面方向に垂直に連設された左垂下片５の溝５ａ、５ａの一直線上で内方の縦方向の位置にもビス孔５ｂ、５ｂが設けられている。このビス孔５ｂ、６ｂにビスを打つとビスの頭が突出せず、左右垂下片５、６の表面が平らになる。
【００４９】
【発明の効果】
本発明は、以上に説明したような構成であるから、以下の効果が得られる。第１に、本発明である下地板取付金具を軽天に取り付けることにより、いとも容易に下地板を軽天に取り付けることが可能になる。
【００５０】
第２に、本発明である下地板取付金具は、下地板自体に孔が形成されている必要がないため、下地板を所望の寸法に合わせてカットすることにより軽天に取り付けることができる。
【００５１】
第３に、本発明である下地板取付金具は、あて木を使用する必要がないため、簡単に下地板を軽天に取り付けることができる。
【００５２】
第４に、本発明である下地板取付金具は、半分に折って使用できるために幅広い用途に用いることが可能である。
【図面の簡単な説明】
【図１】本発明である下地板取付金具の第１実施例の正面図である。
【図２】本発明である下地板取付金具の第１実施例の右側面図である。
【図３】本発明である下地板取付金具の第１実施例の底面図である。
【図４】本発明である下地板取付金具の第１実施例の図１に示したＡ−Ａ線に沿った断面図である。
【図５】本発明である下地板取付金具の第１実施例の斜視図である。
【図６】本発明である下地板取付金具の第２実施例の斜視図である。
【図７】本発明である下地板取付金具の第３実施例である。
【図８】本発明である下地板取付金具の第１実施例から第３実施例の使用状態を示す図である。
【図９】本発明である下地板取付金具の第４実施例の右側面図である。
【図１０】本発明である下地板取付金具の第４実施例の左側面図である。
【符号の説明】
１              下地板取付金具
１ａ            下地板取付金具
２              基板
２ａ            中央部
２ｂ            上切欠溝
２ｃ            上頂部
２ｄ            上片
２ｅ            右端部
２ｆ            右端部
２ｇ            下片
２ｈ            下切欠溝
２ｉ            下頂部
２ｊ            左端部
２ｋ            左端部
２ｌ            上Ｖ字型溝
２ｍ            下Ｖ字型溝
３              貫通孔
３ａ            ビス孔
３ｂ            ビス孔
４              左片
４ａ            ビス孔
５              左垂下片
５ａ            溝
５ｂ            ビス孔
６              右垂下片
６ａ            溝
６ｂ            ビス孔
７              右片
７ａ            ビス孔
８、８ａ、８ｂ  軽天
９              下地板
１０              ビス
１１              下地板取付金具
１１ａ            下地板取付金具
１２              基板
１２ａ            中央部
１２ｂ            上片
１２ｃ            切欠部
１２ｄ            右上頂部
１２ｅ            右端部
１２ｆ            右端部
１２ｇ            右下頂部
１２ｈ            切欠部
１２ｉ            下片
１２ｊ            左端部
１２ｋ            左端部
１２ｌ            上傾斜部
１２ｍ            下傾斜部
１３、１３ａ      ビス孔
１３ｂ、１３ｃ    溝
１３ｄ、１３ｅ    ビス孔
１４              左垂下片
１５              左片
１６              基板
１６ａ            中央部
１６ｂ            上片
１６ｃ            切欠部
１６ｄ            左上頂部
１６ｅ            右端部
１６ｆ            右端部
１６ｇ            下片
１６ｈ            切欠部
１６ｉ            左下頂部
１６ｊ            左端部
１６ｋ            左端部
１６ｌ            上傾斜部
１６ｍ            下傾斜部
１７              右垂下片
１７ａ            溝
１８              右片
１８ａ            ビス孔
【図１】
0003723825.tif 000002
【図２】
0003723825.tif 000003
【図３】
0003723825.tif 000004
【図４】
0003723825.tif 000005
【図５】
0003723825.tif 000006
【図６】
0003723825.tif 000007
【図７】
0003723825.tif 000008
【図８】
0003723825.tif 000009
【図９】
0003723825.tif 000010
【図１０】
0003723825.tif 000011